(57)【要約】      （修正有）【課題】吸引カテーテルの構造を提供する。【解決手段】吸引カテーテル１０は吸引コネクタに用いるものであり、該吸引コネクタに一つの挿入口を設け、該吸引カテーテル１０は主に中空チューブ１及び少なくとも三つのリブ２を含む。中空チューブ１の両端にそれぞれ接続部及び吸引部１２を具有し、接続部を挿入口に対応して接続し、吸引部１２の末端に一つの開口１２１及び周りに複数の穴１２２を形成する。各リブ２は中空チューブの内壁を延伸して形成するものであり、各リブは互いに間隔を開けて配列し、中空チューブ１の軸方向に沿って設置する。よって、中空チューブ１の内壁からリブ２を延伸するために、中空チューブ１が押されて変形する際、リブ２が中空チューブ１の内壁を抵触して内壁にスペースを作ることで、中空チューブ１が詰まる或いはスムーズに吸引できない状況を避ける。【選択図】図２
0003180146.tif 000002
【実用新案登録請求の範囲】
【請求項１】
吸引カテーテル、中空チューブ、リブを含み、
該吸引カテーテル１０は吸引コネクタ１００に用いるものであり、該吸引コネクタ１００に一つの挿入口１０１を設け、該吸引カテーテル１０は主に中空チューブ１及び少なくとも三つのリブ２を含み、
該中空チューブ１の両端にそれぞれ接続部１１及び吸引部１２を具有し、接続部１１を挿入口１０１に対応して接続し、該吸引部１２の末端に一つの開口１２１及び周りに複数の穴１２２を形成し、
少なくとも三つのリブ２は中空チューブ１の内壁を延伸して形成するものであり、該リブ２は互いに間隔を開けて配列し、中空チューブ１の軸方向に沿って設置することを特徴とする吸引カテーテルの構造。
【請求項２】
前記リブ２は互いに等間隔に配列することを特徴とする請求項１記載の吸引カテーテルの構造。
【請求項３】
前記各リブ２を螺旋状に中空チューブ１の内壁に設置することを特徴とする請求項１記載の吸引カテーテルの構造。
【請求項４】
前記リブ２の表面は円弧状或いはその他の幾何形状とすることを特徴とする請求項１記載の吸引カテーテルの構造。
【請求項５】
前記中空チューブ１を熱可塑性のゴム或いはシリコンの材質で構成することを特徴とする請求項１記載の吸引カテーテルの構造。
【請求項６】
吸引カテーテル、中空チューブ、螺旋状リブを含み、
該吸引カテーテル１０は吸引コネクタ１００に用いるものであり、該吸引コネクタ１００に一つの挿入口１０１を設け、該吸引カテーテル１０は主に中空チューブ１及び螺旋状リブ２’を含み、
該中空チューブ１の両端にそれぞれ接続部１１及び吸引部１２を具有し、接続部１１を挿入口１０１に対応して接続し、該吸引部１２の末端に一つの開口１２１及び周りに複数の穴１２２を形成し、
少なくとも一つの螺旋状リブ２’は中空チューブ１の内壁を延伸して形成するものであり、該螺旋状リブ２’は中空チューブ１の軸方向に沿って設置することを特徴とする吸引カテーテルの構造。
【請求項７】
前記螺旋状リブ２’の数は複数とし、該螺旋状リブ２’は互いに間隔を開けて配列することを特徴とする請求項６記載の吸引カテーテルの構造。
【請求項８】
前記螺旋状リブ２’は互いに等間隔に配列することを特徴とする請求項７記載の吸引カテーテルの構造。
【請求項９】
前記螺旋状リブ２’の表面は円弧状或いはその他の幾何形状とする請求項６記載の吸引カテーテルの構造。
【請求項１０】
前記中空チューブ１を熱可塑性のゴム或いはシリコンの材質で構成することを特徴とする請求項６記載の吸引カテーテルの構造。
【考案の詳細な説明】
【技術分野】
【０００１】
本考案は医療用カテーテルに関し、特に吸引カテーテルの構造に関する。
【背景技術】
【０００２】
患者の気管にある痰を排出し、症状を改善して回復のスピードを速めるのに、医療現場では吸引器などの器材を使って気管内の痰を吸引して抜き取る。この吸引器に含まれるのは吸引コネクタ、負圧機、負圧チューブおよび吸引カテーテルである。該吸引コネクタの一端は負圧チューブ、別端は吸引カテーテルと接続する。また、負圧チューブは負圧機と接続し、さらに吸引カテーテルを人体の気管の中に挿入することで、負圧機の負圧の働きにより、吸引カテーテルが痰を吸い出す。
【０００３】
しかし、吸引カテーテルを比較的硬い材質で作成すると、使用する際に患者の咽喉部と摩擦しやすく、痛みや出血あるいは潰瘍の状況を作り、病状が日に日にひどくなりやすくなる。それを鑑みて吸引カテーテルを柔らかい材質で作成すると、咽喉部のカーブに沿って押し潰れる、ねじるあるいは彎曲することができ、患者に比較的よい快適感を与えても、吸引カテーテルが変形しやすい特徴により、詰まる或いはスムーズに痰を除去できない状況が生じやすいことを鑑みて、更なる改善が必要であった。
【先行技術文献】
【特許文献】
【０００４】
【特許文献１】特開２００４−０６５３２６
【考案の概要】
【考案が解決しようとする課題】
【０００５】
前記公知構造の欠点を解決するため、本考案は中空チューブの内壁にリブを延伸することで、中空チューブが圧力を受けて変形する際、リブが中空チューブの内壁面を抵触するため、内壁が隙間を残し、中空チューブが詰まる或いはスムーズに痰を除去できない状況を回避する吸引カテーテルの構造を提供することを主な課題とする。
【課題を解決するための手段】
【０００６】
上述の目的を解決するために、本考案は吸引カテーテルの構造を提供するものである。本考案の吸引カテーテルは吸引コネクタに用いるものであり、該吸引コネクタに一つの挿入口を設け、該吸引カテーテルは主に中空チューブ及び少なくとも三つのリブを含む。該中空チューブの両端にそれぞれ接続部及び吸引部を具有し、接続部を挿入口に対応して接続し、吸引部の末端に一つの開口及び周りに複数の穴を形成する。少なくとも三つのリブは中空チューブの内壁を延伸して形成するものであり、各リブは互いに間隔を開けて配列し、中空チューブの軸方向に沿って設置する。
【０００７】
上述の目的を解決するために、本考案は吸引カテーテルの構造を提供するものである。本考案の吸引カテーテルは吸引コネクタに用いるものであり、該吸引コネクタに一つの挿入口を設け、該吸引カテーテルは主に中空チューブ及び少なくとも一つの螺旋状リブを含む。該中空チューブの両端にそれぞれ接続部及び吸引部を具有し、接続部を挿入口に対応して接続し、吸引部の末端に一つの開口及び周りに複数の穴を形成する。少なくとも一つの螺旋状リブは中空チューブの内壁を延伸して形成するものであり、各螺旋状リブは中空チューブの軸方向に沿って設置する。
【０００８】
本考案はほかに下記の効果を具有する：
第一、中空チューブが圧力を受けて押し潰される、ねじる或いは彎曲するなど変形する際、中空チューブの内壁からリブを延伸し、互いに抵触する中空チューブの内壁にリブがあるためリブが内壁を抵触し、内壁が互いに密着せずにスペースを形成するため、中空チューブは痰をスムーズに吸引し、詰まる或いはスムーズに痰を吸引できない確率を下げる。
【０００９】
第二、リブの外形は長い棒状であるため、リブの数は三本以上必要である。よって中空チューブが押し潰される際に、圧迫を受ける両サイドの内壁の間にリブが存在し、中空チューブの吸引効率を高める。
【００１０】
第三、各リブを螺旋状に中空チューブの内壁に設置することで、中空チューブが如何なる方向からの圧迫を受けても、両サイドの内壁の間に必ずリブが存在する。また、リブは螺旋状であるため、中空チューブの内壁に螺旋状の吸引ルートを形成し、大幅に中空チューブの吸引効率を高める。
【００１１】
第四、吸引カテーテルに螺旋状リブを具有すると、中空チューブが圧力を受けて押し潰される、ねじる或いは彎曲するなど変形する際、中空チューブの内壁から螺旋状リブを延伸するために、中空チューブの如何なる方向から圧迫されるとき、押される両サイドの内壁の間に必ず螺旋状リブが存在してスペースを形成するため、中空チューブは詰まる或いはスムーズに痰を吸引できない状況を避けることができる。
【００１２】
第五、螺旋状リブはそれの仕組みにより、中空チューブの内壁に螺旋状の吸引ルートを形成するため、螺旋状リブによって圧迫された内壁は閉じることなく、逆に圧迫された内壁に一つの導引スペース、つまり螺旋状吸引ルートを形成するため、中空チューブはベストにスムーズに吸引をすることができる。
【００１３】
第六、螺旋状リブの数が複数であり、各螺旋状リブを互いに等間隔或いは不等間隔に配列することができ、両サイドの内壁の間に螺旋状リブの数を増やすことができ、更に中空チューブの吸引効率を高めることができる。
【考案の効果】
【００１４】
本考案の吸引カテーテルの中空チューブに少なくとも三つのリブ、或いは螺旋状のリブを具有することによって、中空チューブが押されて変形する際、リブが中空チューブの内壁を抵触して内壁にスペースを作ることで、中空チューブが詰まる或いはスムーズに吸引できない状況を避けることができる。
【図面の簡単な説明】
【００１５】
【図１】本考案の吸引カテーテルの組合略図である。
【図２】本考案の吸引カテーテルの立体略図である。
【図３】本考案の吸引カテーテルの断面略図である。
【図４】本考案の吸引カテーテルの使用状況略図である。
【図５】本考案の吸引カテーテルの第二実施例の断面略図である。
【図６】本考案の吸引カテーテルの第三実施例の立体略図である。
【図７】本考案の吸引カテーテルの第三実施例の側視略図である。
【図８】本考案の吸引カテーテルの第四実施例の立体略図である。
【図９】本考案の吸引カテーテルの第四実施例の側視略図である。
【考案を実施するための形態】
【実施例】
【００１６】
本考案による吸引カテーテルの構造を明確に示すために図に沿って詳細な説明を行う。添付図は用途を説明するためのものであり、本考案を制限するものではない。
【００１７】
図１から図４に示すように、本考案の吸引カテーテル１０は吸引コネクタ１００に用いるものであり、該吸引コネクタ１００に一つの挿入口１０１を設け、該吸引カテーテル１０は主に中空チューブ１及び少なくとも三つのリブ２を含む。
【００１８】
中空チューブ１を熱可塑性のゴム或いはシリコンの材質で構成することで、中空チューブ１はソフトチューブ構造となるため、中空チューブ１が圧迫されると押し潰れる、ねじる或いは彎曲するなど変形してしまう。該中空チューブ１の両端にそれぞれ接続部１１及び吸引部１２を具有し、接続部１１を挿入口１０１に対応して接続することで、中空チューブ１と吸引コネクタ１００が結合して連通する。また、吸引部１２の末端に一つの開口１２１及び周りに複数の穴１２２を形成する。
【００１９】
各リブ２は中空チューブ１の内壁を延伸して形成するものであり、互いに間隔を開けて配列し、中空チューブ１の軸方向に沿って設置する。図２に示すように、各リブ２は互いに等間隔に配列するが、それに限られず、各リブ２は互いに不等間隔に配列することもでき、実際の状況を見て調整することができる。各リブ２の表面は円弧状或いはその他の幾何形状とする。
【００２０】
本考案の吸引カテーテルの組合せは、中空チューブ１の両端にそれぞれ接続部１１及び吸引部１２を具有し、接続部１１を挿入口１０１に対応して接続し、吸引部１２の末端に一つの開口１２１及び周りに複数の穴１２２を形成する。各リブ２は中空チューブ１の内壁を延伸して形成し、各リブ２は互いに間隔を開けて配列し、且つ中空チューブ１の軸方向に沿って設置する。図４に示すように、中空チューブ１が圧力を受けて押し潰される、ねじる或いは彎曲するなど変形する際、中空チューブ１の内壁からリブ２を延伸し、互いに抵触する中空チューブ１の内壁にリブ２があるためリブ２が内壁を抵触し、内壁が互いに密着せずにスペースを形成するため、中空チューブ１は痰をスムーズに吸引し、詰まる或いはスムーズに痰を吸引できない確率を下げる。
【００２１】
また、リブ２の外形は長い棒状であるため、リブ２の数は三本以上必要である。よって中空チューブ１が押し潰される際に、圧迫を受ける両サイドの内壁の間にリブ２が存在し、中空チューブ１の吸引効率を高める。
【００２２】
図５に示すのは本考案の吸引カテーテルの第二実施例である。該リブの外形は長い棒状であり、リブ２の数は三本以上必要とし、本実施例のリブ２の数は四本である。それにより、中空チューブ１の如何なる相対する両サイドの間に全てリブ２が存在することになるため、前記の功能及び効果を得ることができる。
【００２３】
図６及び図７に示すのは、本考案の吸引カテーテルの第三実施例である。前記各リブ２を螺旋状に中空チューブ１の内壁に設置することで、中空チューブ１が如何なる方向からの圧迫を受けても、両サイドの内壁の間に必ずリブ２が存在する。また、リブ２は螺旋状であるため、中空チューブ１の内壁に螺旋状の吸引ルートを形成し、大幅に中空チューブ１の吸引効率を高める。
【００２４】
図８及び図９に示すのは、本考案の吸引カテーテルの第四実施例である。本実施例の吸引カテーテル１０に含まれるのは中空チューブ１及び少なくとも一つの螺旋状リブ２’である。該螺旋状リブ２’は中空チューブ１の内壁を延伸して形成し、螺旋状リブ２’は中空チューブ１の軸方向に沿って設置する。それにより中空チューブ１が圧力を受けて押し潰される、ねじる或いは彎曲するなど変形する際に、中空チューブ１の内壁から螺旋状リブ２’を延伸するため、中空チューブ１は如何なる方向から押し潰されても、圧迫を受ける両サイドの内壁の間に必ず螺旋状リブ２’が存在するため内壁の間にスペースが形成し、よって中空チューブ１が詰まる或いはスムーズに吸引できない状況が発生するのを避ける。
【００２５】
また、螺旋状リブ２’はそれの仕組みにより、中空チューブ１の内壁に螺旋状の吸引ルートを形成するため、螺旋状リブ２’によって圧迫された内壁は閉じることなく、逆に圧迫された内壁に一つの導引スペース、つまり螺旋状吸引ルートを形成するため、中空チューブ１はベストにスムーズに吸引をすることができる。
【００２６】
更に螺旋状リブ２’の数が複数であり、各螺旋状リブ２’を互いに等間隔或いは不等間隔に配列することができ、両サイドの内壁の間に螺旋状リブ２'の数を増やすことができ、更に中空チューブ１の吸引効率を高めることができる。
【００２７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２８】
１００  吸引コネクタ
１０  吸引カテーテル
１  中空チューブ
１１  接続部
１２  吸引部
１２１  開口
１２２  穴
２  リブ
２’  螺旋状リブ
【図１】
0003180146.tif 000003
【図２】
0003180146.tif 000004
【図３】
0003180146.tif 000005
【図４】
0003180146.tif 000006
【図５】
0003180146.tif 000007
【図６】
0003180146.tif 000008
【図７】
0003180146.tif 000009
【図８】
0003180146.tif 000010
【図９】
0003180146.tif 000011